(57)【要約】      （修正有）【課題】冷蔵庫の天面に圧縮機を配設しても、運搬を容易に行う。【解決手段】本発明の冷蔵庫の運搬用取っ手構造は、機械室の背面側の左右方向における強度を補強する補強機能を備えたものである。断熱箱体５と断熱箱体５の天面後方に設けた圧縮機７を収納する機械室である凹部６と、機械室である凹部６の背面側に冷蔵庫を運搬する際に用いる取っ手部であるハンドル用バー８とを備えた。これによって、冷蔵庫最上段凹部に圧縮機を搭載した冷蔵庫においても、取っ手部の強度を確保することができ、重心位置が高くなることで取っ手にかかる荷重がより大きい冷蔵庫を容易に運搬できるようになる。【選択図】図３
2006308281.tif 000002
【特許請求の範囲】
【請求項１】
断熱箱体と、前記断熱箱体の天面後方に設けた圧縮機を収納する空間を有する機械室と、前記機械室の外郭に冷蔵庫を運搬する際に用いる取っ手部とを備え、前記取っ手部は運搬時の前記機械室の外郭の左右方向における強度を補強する補強構造を有するものである冷蔵庫。
【請求項２】
機械室は断熱箱体の天面後方に凹部を設けることで形成され、取っ手部は、両端部が前記凹部の外郭を形成する両側壁に固定されるとともに前記機械室の左右方向に渡って備えられたハンドル用バーであり、前記ハンドル用バー自体で握り部を形成した請求項１に記載の冷蔵庫。
【請求項３】
機械室は断熱箱体の天面後方に凹部を設けることで形成され、取っ手部は補強部材と前記補強部材に備えられた握り部からなり、前記補強部材は両端部を前記凹部の外郭を形成する両側壁に固定されるとともに前記機械室の左右方向に渡って備えられた請求項１に記載の冷蔵庫。
【請求項４】
取っ手部は、運搬の際に手で握れる握り部空間が備えられたものである請求項１から３のいずれか一項に記載の冷蔵庫。
【請求項５】
前記凹部の天面および背面を隠すように取り付けられたカバーと、前記カバーの外側に握り部であるハンドル用バーを配置し、前記ハンドル用バーの周辺に備えられた運搬時の握り部空間を前記カバーの凹部で形成した請求項２に記載の冷蔵庫。
【請求項６】
前記握り部に運搬性を高める外郭構造を付加した請求項２から５のいずれか一項に記載の冷蔵庫。
【請求項７】
前記凹部の両側壁内に発泡断熱材を充填したことを特徴とした請求項２から５のいずれか一項に記載の冷蔵庫。
【発明の詳細な説明】
【技術分野】
【０００１】
本発明は圧縮機を天面部に積載した場合の冷蔵庫の運搬用取っ手構造に関するものである。
【背景技術】
【０００２】
近年、冷蔵庫は、その使い勝手や収納性の向上が求められている。
【０００３】
従来の家庭用の冷蔵庫は、背面側の最下部に圧縮機が配設されており、冷蔵庫の背面側の天面部に運搬用の取っ手が備えられていた。
【０００４】
図１２は従来の冷蔵庫の概略断面図を示すものであり、図１３は従来の冷蔵庫の概略断面図を示すものである。
【０００５】
図１２に示すように、背面側の最下部に圧縮機が配設されている断熱箱体１は、天面後方に運搬用取手５が設けられており、運搬用取手５は背面側の発泡断熱材が充填される部分の一部を凹ませて形成されていた（例えば、特許文献１参照）。
【０００６】
また、図１２のような貯蔵室が一つの比較的小さい容量の冷蔵庫においては、上記のような指を引っ掛けるタイプの運搬用取手５が用いられていたが、近年の主流である大容量で複数の貯蔵室を有した比較的大型で重量の大きい冷蔵庫においては、指を引っ掛けるタイプの運搬用取手５では、持ち運び時には指からすべり落ちるといった危険があるため、図１３に示すような手で握るタイプの運搬用取手１３ａが用いられている（例えば、特許文献２参照）。
【特許文献１】実開昭６０−１９１８８７号公報
【特許文献２】特開平７−２７００４１号公報
【発明の開示】
【発明が解決しようとする課題】
【０００７】
しかしながら、上記従来の構成では、圧縮機を天面側に配置した場合には、圧縮機を収納する為の大きな空間部である機械室が冷蔵庫の天面側後方に位置するため、機械室の空間部によって天面後方部分の強度が弱くなり、断熱箱体の機械室周辺に運搬用取手を設けるのが困難であった。
【０００８】
また、冷蔵庫の天面側後方部に、冷蔵庫の構成部品の中で比較的重量の重い物である圧縮機を収納するので、冷蔵庫の重心位置が高くなり冷蔵庫を運搬するときには圧縮機の周辺である機械室近傍に運搬用取手を設けないと運搬しにくいという問題があった。
【０００９】
本発明は、上記従来の課題を解決するもので、圧縮機を天面側に配置した場合でも、冷蔵庫の機械室周辺の強度を向上させるとともに、運搬用取手の強度を確保することで重心位置が高くなった冷蔵庫を安全に運搬できるようにする運搬用取っ手構造を備えた冷蔵庫を提供することを目的とする。
【課題を解決するための手段】
【００１０】
上記従来の課題を解決するために、本発明の冷蔵庫は、断熱箱体と、前記断熱箱体の天面後方に設けた圧縮機を収納する空間を有する機械室と、前記機械室の外郭に冷蔵庫を運搬する際に用いる取っ手部とを備え、前記取っ手部は運搬時の前記機械室の外郭の左右方向における強度を補強する補強構造を有するものであることを特徴とする。
【００１１】
これによって、機械室の空間部によって強度が弱くなった断熱箱体の機械室周辺の強度を上げるとともに、運搬用の取っ手部の強度を確保することで重心位置が高くなった冷蔵庫を安全に運搬できるようにする。
【発明の効果】
【００１２】
本発明の冷蔵庫は、機械室の空間部によって強度が弱くなった断熱箱体の機械室周辺の強度を上げるとともに、運搬用の取っ手部の強度を確保することで重心位置が高くなった冷蔵庫を安全に運搬できるようにすることで、圧縮機を天面側に配置した冷蔵庫の運搬時における安全性および使い勝手を向上させることができる。
【発明を実施するための最良の形態】
【００１３】
請求項１に記載の発明は、断熱箱体と、前記断熱箱体の天面後方に設けた圧縮機を収納する空間を有する機械室と、前記機械室の外郭に冷蔵庫を運搬する際に用いる取っ手部とを備え、前記取っ手部は運搬時の前記機械室の外郭の左右方向における強度を補強する補強構造を有するものである。
【００１４】
これによって、機械室の空間部によって強度が弱くなった断熱箱体の機械室周辺の強度を上げるとともに、運搬用の取っ手部の強度を確保することで重心位置が高くなったことで運搬時の取っ手にかかる荷重が大きい冷蔵庫を安全に運搬できるようにする。
【００１５】
請求項２に記載の発明は、機械室は断熱箱体の天面後方に凹部を設けることで形成され、取っ手部は、両端部が前記凹部の両側壁に固定されるとともに前記機械室の左右方向に渡って備えられたハンドル用バーであり、前記ハンドル用バー自体で握り部を形成したものである。
【００１６】
これによって、機械室の左右方向における強度を補強すると同時に機械室の背面側に取っ手部を備えることができ、一つの部材で機械室の強度の補強と手で握る部分との両方を備えることができる。
【００１７】
請求項３に記載の発明は、機械室は断熱箱体の天面後方に凹部を設けることで形成され、取っ手部は補強部材と前記補強部材に備えられた握り部からなり、前記補強部材は両端部を前記凹部の外郭を形成する両側壁に固定されるとともに前記機械室の左右方向に渡って備えられ、前記補強部材に握り部が備えられたものである。
【００１８】
これによって、機械室の左右方向における強度を補強すると同時に機械室の背面側に取っ手部を備えることができ、機械室の空間部によって強度が弱くなった断熱箱体の機械室周辺の強度を上げるとともに、補強部材に運搬用の取っ手部をつけることで、取っ手が握りやすくなり、冷蔵庫を安全に運搬できるようにする。
【００１９】
請求項４に記載の発明は、取っ手部は、運搬の際に手で握れる握り部空間が備えられたものである。
【００２０】
これによって、取っ手に指を引っ掛けることで冷蔵庫を運搬するのではなく、取っ手自体を手で握ることができ、重量が大きい大型の冷蔵庫でさらにを運搬する際にでも、冷蔵庫を安全に運搬できるようにする。
【００２１】
請求項５に記載の発明は、前記凹部の天面および背面を隠すように取り付けられたカバーと、前記カバーの外側に握り部であるハンドル用バーを配置し、前記ハンドル用バーの周辺に備えられた運搬時の握り部空間を前記カバーの凹部で形成したものである。
【００２２】
これによって、カバー外部に取っ手を備えるとともに、握る為の空間を確保することで、重量が大きい大型の冷蔵庫を運搬する際にでも、冷蔵庫を安全に運搬できるようにする。
【００２３】
請求項６に記載の発明は、前記握り部に運搬性を高める外郭構造を付加したものである。
【００２４】
これによって、取っ手自体が手で握るのに十分適した構造や形状をとれない場合でも、握り部を手で握って冷蔵庫を運搬する際に、握り易く、運搬する人の手に負担を掛けない取っ手を提供できる。
【００２５】
請求項７に記載の発明は、前記凹部の両側壁内に発泡断熱材を充填したものである。
【００２６】
これによって、ハンドル用バーの取り付け強度を上げる構造を簡単に提供できる。
【００２７】
（実施の形態１）
図１は、本発明の実施の形態１における冷蔵庫の概略断面図を示すものであり、図２は冷蔵庫のハンドルバーの斜視図を示すものであり、図３は冷蔵庫の断熱箱体の分解図を示すものであり、図４は冷蔵庫運搬時の概略図を示すものである。
【００２８】
図１、図２において、５は本発明の断熱箱体で、この断熱箱体５の天面後方に設けた機械室である凹部６に圧縮機７を取り付けている。凹部６の天面および背面を隠すようにカバー９が取り付けられ、カバー９の外側に、ハンドル用バー８が位置している。このハンドル用バー８は、凹部６の両側面１０に両端部を固定している。ハンドル用バー８の周辺には運搬時に手の逃げとなる握り部の空間１１が必要で、この握り部の空間１１は、カバー９に形成されたカバーの凹部１２で構成されている。
【００２９】
また、圧縮機７は、凹部６の幅方向に対して左右の空間１３を有するように配置されており、握り部の空間１１も圧縮機７から離れた左右の握り部の空間１４でわかれて形成され、圧縮機の左右の空間１３にて左右の握り部の空間１４を構成するように、カバー９に左右の凹部１５をそれぞれ設けている。
【００３０】
図３において、断熱箱体５は、外箱１６と、内箱１７と、機械室となる凹部６を形成するための外板であるパネルトップ１８で構成され、ハンドル用バー８を固定している凹部６の両側面１０は、外箱１６と、内箱１７と、パネルトップ１８の中に充填される発泡断熱材により外郭形成されている。
【００３１】
図４は本発明の冷蔵庫の運搬時にハンドル用バー８を持って運搬するときの概略図である。
【００３２】
以上のように構成された冷蔵庫について、以下その動作、作用を説明する。
【００３３】
まず、断熱箱体５の天面後方に設けた凹部６と、凹部６に設けた圧縮機７と、凹部６の両側面１０に端部を固定されたハンドル用バー８を備えて、このハンドル用バー８は凹部６の左右を横断するように配置し、補強部材であると同時に、取っ手部であるように構成したので、凹部６の空間部によって強度が弱くなった断熱箱体の凹部６周辺の強度を上げるとともに、運搬用の取っ手部の強度を確保することで、重心位置が高くなったことで運搬時の取っ手にかかる荷重が大きい冷蔵庫を安全に運搬できるようにする。
【００３４】
また、取っ手をつける際に、凹部の空間を利用するので、冷蔵庫の庫内容積を減少させることなく、重心位置が高くなった冷蔵庫を容易に運搬できるようになる。
【００３５】
また、凹部６の天面および背面を隠すように取り付けられたカバー９に対してハンドル用バー８は外側に配置し、ハンドル用バー８の周辺に運搬時の握り部の空間１１を設け、この握り部の空間１１をカバーの凹部１２で形成することにより、ハンドルバー８によって凹部６の左右方向における強度を補強すると同時に機械室の背面側に取っ手部を備えることができ、一つの部材で機械室の強度の補強構造と手で握る部分との両方を備えることができるので、さらに省スペースな空間にて運搬用取っ手構造を提供できる。
【００３６】
また、圧縮機７は、凹部６の幅方向に対して左右の空間１３を有するように配置されており、握り部の空間１１も圧縮機７から離れた左右の握り部の空間１４に分かれて形成され、前記圧縮機の左右の空間１３にて左右の握り部の空間１４を構成するように、カバー９に左右の凹部１５を設けたことにより、圧縮機７の左右の空間１３を有効に運搬用の取っ手のスペースとして使用でき、圧縮機７から逃げた位置で、さらに省スペースな空間にて運搬用取っ手構造を提供できる。
【００３７】
また、凹部６の両側面１０は、外箱１６と、内箱１７と、パネルトップ１８で構成され、その中に発泡断熱材を充填されるにより、ハンドル用バー８の両端部の取り付け部である側面１０の強度が補強され、ハンドル用バー８の取り付け強度を上げる構造を提供できる。
【００３８】
なお、ハンドルバー８の形状や材料にもよるが、握り部となる部分の外郭形状や表面状態が、手で握った際に握りにくかったり、手が痛いなど負担がかかることが懸念される場合は、当該握り部に運搬性を高める外郭構造を付加することでこれらの問題を解消することができる。具体的には、ハンドルバー８の握り部周囲に樹脂製の別部品を被せたり、この別部品を握りやすい形状に工夫したり、滑りにくくグリップ性の高いゴム系などの材料で形成した別部品で覆ったりすることで対応が可能である。
【００３９】
（実施の形態２）
図５は本発明の実施の形態２における冷蔵庫の取っ手の斜視図である。
【００４０】
なお、実施の形態１と同一構成については、同一符号を付して詳細な説明を省略する。
【００４１】
断熱箱体５の天面後方に設けた機械室である凹部６に圧縮機７を取り付けている。凹部６の天面および背面を隠すようにカバー９が取り付けられ、カバー９の外側に、補強部材１０８が位置している。この補強部材１０８は、凹部６の両側面１０に両端部を固定している。また、補強部材１０８には取っ手部１０９が備えられており、取っ手部１０９は取り付けられた状態において、カバー９との間に取っ手を手で握れるような空間部１１０を形成している。
【００４２】
この構成によって、補強部材１０８によって凹部６の空間部によって強度が弱くなった断熱箱体の凹部６周辺の強度を上げるとともに、強度の大きい補強部材１０８に運搬用の取っ手部１０９を取り付けることで、取っ手部１０９の強度を確保するができ、かつ取っ手部１０９を空間部１１０により手が握り易い構成とすることで、大容量の重量が重いタイプの冷蔵庫でさらに重心位置が高くなったことで運搬時の取っ手にかかる荷重が大きい冷蔵庫を安全に運搬できるようにする。
【００４３】
なお、取っ手部１０９の形状や材料にもよるが、握り部となる部分の外郭形状や表面状態が、手で握った際に握りにくかったり、手が痛いなど負担がかかることが懸念される場合は、当該握り部に運搬性を高める外郭構造を付加することでこれらの問題を解消することができる。具体的には、取っ手部１０９の握り部を握りやすい形状に成形したり、滑りにくくグリップ性の高いゴム系などの材料で形成した別部品で覆ったりすることで対応が可能である。
【００４４】
（実施の形態３）
図６は本発明の実施の形態３における冷蔵庫の取っ手の斜視図である。
【００４５】
なお、上述の実施の形態と同一構成については、同一符号を付して詳細な説明を省略する。
【００４６】
断熱箱体５の天面後方に設けた機械室である凹部６に圧縮機７を取り付けている。凹部６の天面および背面を隠すようにカバー２０９が取り付けられ、カバー２０９には取っ手部２１０が形成されており、取っ手部２１０の左右方向に位置しているカバー２０９の部分には取っ手部２１０を形成するに十分な強度を備えるような補強を行っている。また、取っ手部周辺には手で握れるような空間部２１１を有している。また、カバー２０９自体が凹部６を覆って機械室外郭を補強する補強部材となっている。
【００４７】
この構成によって、取っ手部２１０の左右方向に位置している部分のカバー２０９には取っ手を形成するに十分な強度を備えるような補強を行っているので、凹部６の空間部によって強度が弱くなった断熱箱体の凹部６周辺の強度を上げるとともに、カバー２０９の強度の大きい部分に運搬用の取っ手部２１０を取り付けることで、取っ手部２１０の強度を確保するができ、大容量の重量が重いタイプの冷蔵庫でさらに重心位置が高くなったことで運搬時の取っ手にかかる荷重が大きい冷蔵庫を安全に運搬できるようにする。
【００４８】
なお、取っ手部２１０の形状や材料にもよるが、握り部となる部分の外郭形状や表面状態が、手で握った際に握りにくかったり、手が痛いなど負担がかかることが懸念される場合は、当該握り部に運搬性を高める外郭構造を付加することでこれらの問題を解消することができる。具体的には、取っ手部２１０の握り部周囲に樹脂製の別部品を被せたり、この別部品を握りやすい形状に工夫したり、滑りにくくグリップ性の高いゴム系などの材料で形成した別部品で覆ったりすることで対応が可能である。
【００４９】
（実施の形態４）
図７は、本発明の実施の形態４における冷蔵庫の概略断面図である。図８は本発明の実施の形態４における冷蔵庫の凹部の断熱発泡前の構成を示す斜視図である。図９は、本発明の実施の形態４における冷蔵庫の断熱発泡後の構成を示す斜視図である。図１０は本発明の実施の形態４における冷蔵庫の取っ手の斜視図である。図１１は本発明の実施の形態４における冷蔵庫の取っ手の取り付け構成図である。
【００５０】
図において、冷蔵庫本体４００の断熱箱体４０１は５つの断熱区画に区分されており、最上部より冷蔵室４１０、切り替え室４１１、野菜室４１２、最下部の貯蔵室は冷凍室４１３である。また、切り替え室４１１に隣接して製氷室（図示せず）が形成されている。各断熱区画にはそれぞれ断熱扉が設けられており、回転式の扉である冷蔵室扉４１０ａ、引き出し式の扉である切り替え室扉４１１ａ、野菜室扉４１２ａおよび冷凍室扉４１３ａである。冷蔵室４１０に備えられた冷蔵室扉４１０ａの庫内側には複数の扉ポケット４１０ｂが収納スペースとして備えられており、庫内には複数の食品収納棚４１０ｃが備えられている。
【００５１】
冷凍サイクルを構成する機器である圧縮機４２０は断熱箱体４０１の天面部の背面側に形成された凹部４５０に配設されており、天面部に弾性部材であるグロメット４２０ａを介して備えられており、圧縮機４２０と冷蔵室４１０との間の断熱壁には発泡断熱材４３２に加えて、真空断熱材４４０が圧縮機の前面側と底面側に相当する位置の凹部４５０の前壁面４５０ａ及び底面４５０ｂに備えられている。圧縮機１２０は低騒音、低振動化を図りやすい内部低圧型でかつ往復動型の圧縮機である。また、冷凍サイクル内の冷媒としては、地球環境保全の観点から地球温暖化係数が小さい可燃性冷媒であるイソブタンが使用されている。
【００５２】
また、断熱箱体４０１の凹部は左右に側壁４６０を備えており、凹部４５０は、例えば、天面部および側面部および底面部の外枠を形成する外板４３０ａと、背面部の外枠を形成する外板４３０ｂと、凹部４５０の形状に応じて形成された高い剛性を有する外板４３０ｃとにより構成される外箱４３０により断熱箱体４０１の外枠を形成している。
【００５３】
また、この凹部の外枠を形成する外板４３０ｃ上には圧縮機４２０が配置されるため、断熱箱体の他の外枠部分よりも剛性が高くなるように設計してある。また、凹部４５０は、圧縮機等が収納された後、左右方向のほぼ全幅に渡って備えられたカバー４３３により覆われる。カバー４３３には、凹部内の空気の流動を促進する通風穴４３４が設けられている。さらに、凹部４５０の側壁４６０の内部には、側壁の強度を上げるとともに、側壁に左右方向に渡る補強部材である取っ手４３６を取り付ける際の支持部とすることを目的として補強部材４３５が埋設されている。また、この補強部材４３５は、取っ手４３６を取り付ける強度を確保できるような強度の大きい金属からなり、外枠側に固着されているとともに、発泡断熱材により断熱壁と密着して保持されている。また、この補強部材４３５は、凹部の側壁に発泡断熱材の充填する際の変形を防止する目的もある。
【００５４】
補強部材４３５は、側壁４６０の上部背面側角部４６０ａ付近から前方および下方に延びたくの字型の鉄材からなり、さらに、側壁側と背壁側のコーナーおよび側壁側とに備えられる部分の断面形状は略Ｌ型を形成している。また、前方側の端部４３５ａは凹部４５０の前壁面４５０ａより前方まで延び、下方側の端部４３５ｂは凹部４５０の底面４５０ｂよりも下方まで延びるように補強部材４３５が配置され、断熱壁中に埋設されている。
【００５５】
また、凹部４５０のカバー４３３や冷蔵庫運搬用の取っ手４３６は、側壁４６０に埋設された補強部材４３５に背面側から取付け面４３６ａ側からビスにより固定されている。
【００５６】
この冷蔵庫運搬用の取っ手４３６は両端部が凹部４５０の両側壁に固定されるとともに前記機械室の左右方向に渡って備えられたハンドル用バーであり、凹部４５０の背面側の左右方向における強度を補強する補強機能を備えた補強構造を形成している。
【００５７】
このように断熱箱体４０１は凹部４５０を設けているため、冷蔵室４１０の庫内空間には段差部４５１が形成されている。
【００５８】
また、断熱箱体４０１は、冷蔵庫の天面部および側面部および背面部および底面部を囲うように形成された外箱４３０と内箱４３１からなる空間に発泡断熱材４３２を充填して断熱箱体４０１としている。この断熱箱体４０１に発泡断熱材４３２を充填する際、冷蔵室を断熱区画する仕切体４３７および冷蔵室４１０に次いで前面開口面積の大きい冷凍室４１３を断熱区画する仕切体４３８と断熱箱体４０１とに発泡断熱材４３２を同時に充填することで、冷蔵室４１０および冷凍室を形成する断熱壁を一体構造としている。冷蔵室は段差部４５１を有しているため、複雑な形状となっているが、この段差部４５１も含めて冷蔵室を形成する断熱壁はすべて一体形成されている。
【００５９】
このように発泡断熱材４３２を充填する際に凹部４５０においては、天面部および側面部および底面部の外枠を形成する外板４３０ａと、背面部の外枠を形成する外板４３０ｂと、凹部４５０の形状に応じて形成された高い剛性を有する外板４３０ｃとにより構成される外箱４３０を組み立てた上で、凹部４５０の底面および内箱４３１との間の内箱側に真空断熱材４４０を埋設し、凹部の側壁４６０の外箱側に補強部材４３５とを備えた上で、発泡断熱材４３２を充填することで、凹部４５０周辺は高い強度で形成される。
【００６０】
以上のように構成された冷蔵庫について、以下その動作、作用を説明する。
【００６１】
圧縮機４２０の圧縮動作により吐出された高温高圧の冷媒は、凝縮器（図示せず）にて熱交換して放熱するとともに凝縮液化し、減圧器（図示せず）に至る。その後、減圧器によって減圧されて蒸発器（図示せず）に至り、再び圧縮機へと吸入される。
【００６２】
この時、圧縮機４２０にて圧縮動作を行う場合に、大きな振動が発生し、この圧縮機４２０からの振動が冷蔵庫の振動発生源となるが、圧縮機を配置している機械室である凹部４５０は、機械室の外郭の左右方向における強度を補強する補強構造である取っ手４３６を備えているので、凹部４５０を形成する断熱壁の剛性が高くなっており、圧縮機４２０から発生する振動が冷蔵庫本体への振動伝播するのを抑制することができる。また、圧縮機から発生した振動が他の部品（例えば、冷蔵庫内の食品収納棚４１０ｃ）へ伝播し、その部品が振動することによるびびりや騒音が発生するのを抑制することができる。
【００６３】
また、この取っ手４３６は、凹部４５０の凹部の側壁４６０の外箱側に取り付けられた補強部材４３５にカバー４３３を挟み込んでビスで固定されている。
【００６４】
この構成によって、取っ手４３６の取り付け部に位置する補強部材４３５は、取っ手３０２を保持するに十分な強度を備えるような補強を行っているので、凹部６の空間部によって強度が弱くなった断熱箱体の凹部４５０周辺の強度を上げるとともに、取っ手４３６の取り付け強度も上げることができ、大容量の重量が重いタイプの冷蔵庫でさらに重心位置が高くなったことで運搬時の取っ手にかかる荷重が大きい冷蔵庫を安全に運搬できるようにする。
【００６５】
また、本実施の形態では、取っ手の取り付け位置を背面側としていることで、例えば、取っ手の取り付け位置を天面側としているタイプと比較して、冷蔵庫を斜め後方側にたおして運搬するとき冷蔵庫を上方向に引き上げるような力がかかったときの取っ手４３６の取り付け面４３６ａに対する荷重のかかり方が異なり、例えば取っ手の取り付け位置を天面側としているものでは、ビスの挿入方向に対して抜けやすい方向の力が作用することで、ビスの変形および取り付け面の変形による取っ手の取付け強度の低下が懸念されるのに対して、取っ手４３６の取り付け面４３６ａが背面側にあるものでは、ビスの挿入方向に対して抜けにくい方向の力が作用し、取っ手４３６の取り付け面４３６ａに対して冷蔵庫の荷重は取っ手４３６の取り付け面４３６ａ全体で冷蔵庫の荷重を受けるような荷重のかかり方となり、ビスの変形によって取っ手４３６の取り付け面４３６ａが変形したりすることなく取っ手４３６の取り付け強度をより向上させた上で冷蔵庫を運搬することができるので、冷蔵庫の運搬時の安全性をより向上させることができる。
【００６６】
また本実施の形態では、冷蔵室４１０の中で、圧縮機の振動が直接的に伝達する凹部４５０周辺の剛性を高めるためにさまざまな工夫を凝らしている。
【００６７】
まず、冷蔵室４１０を形成する断熱壁を一体構造とする際に、凹部４５０を形成する断熱壁には、凹部４５０の形状に応じて形成された外板４３０ｃを別部品として高い剛性を有するように設計し、これらを備えた上で発泡断熱材４５３を充填することで一体成形しており、さらに、圧縮機４２０と冷蔵室４１０との間の断熱壁である凹部４５０には発泡断熱材４３２に加えて真空断熱材４４０が備えられている。
【００６８】
この真空断熱材４４０は発泡断熱材４３２と比べて剛性が高いため、凹部４５０の補強部材としての効果を奏する。また真空断熱材４４０は発泡断熱材４３２よりも断熱効果が２〜３倍程度に高い為、高温の圧縮機４２０から冷蔵室４１０への熱量の侵入を防止することができ、圧縮機から最上部の貯蔵室への熱侵入量を大幅に低減することができるので、冷蔵庫の消費電力の抑制を図ることができる。
【００６９】
さらに圧縮機４２０と冷蔵室４１０の庫内との間に位置する発泡断熱材の騒音透過に対する減衰効果に加えて、さらに芯材材料として異種または構造の異なる真空断熱材を複層構造とすることによって、騒音透過に対する減衰効果を一層高めることができるとともに単一材料で遮音する場合と比べてより広い周波数域における騒音を減衰することができるので、庫内へ伝達する騒音の漏れを減少させることができ、冷蔵庫の騒音を低減することができる。
【００７０】
さらに、凹部４５０の側壁には補強材４３５が備えられているので、剛性の弱くなりがちな凹部の側壁の強度を高めることができるので、圧縮機の振動により合成の弱い側壁が振動することによって、凹部内に備えられた部品（例えば、冷媒配管や制御基盤等々）へ伝播し、その部品が振動することによるびびりや騒音が発生するのを抑制することができる。
【００７１】
また、補強部材４３５は、凹部４５０の奥行きおよび深さ方向にくの字型に配置されており、それぞれ側壁への投影では凹部４５０内空間と凹部４５０の前壁面４５０ａおよび底面４５０ｂへ渡って長い距離に渡って備えられているため、側壁４６０と直行する断熱壁である凹部４５０の前壁面４５０ａおよび底面４５０ｂに支えられて、側壁４６０を連続した断熱箱体の一部として支持することができ、凹部４５０の開口部強度を高めることができる。
【００７２】
また、取っ手４３６を補強部材４３５を介して、凹部４５０の開口部に凹部４５０の左右を横断するように取り付けることにより、凹部４５０の空間部によって強度が弱くなった断熱箱体の凹部周辺の強度を大きく向上させることができ、凹部４５０の側壁を連続した剛体として構成できるため、さらに冷蔵室４１０および凹部４５０の強度を高めることができる。
【００７３】
また、取っ手４３６を取り付ける補強部材４３５は、側壁４６０の上部背面側角部４６０ａ付近から前方および下方に延びたくの字型の鉄材からなり、さらに、側壁側と背壁側のコーナーおよび側壁側とに備えられる部分の断面形状は略Ｌ型を形成している。このように断面がＬ字型であり、それらの面が隣り合う２壁面に渡って備えられることで、Ｌ字型の補強部材４３５を備えた２壁面が連続した剛体のように構成され、補強部材の冷蔵庫本体に対する取り付け強度も大幅に向上させることができる。さらに本実施の形態では補強部材４３５は側壁４６０の上部背面側角部４６０ａ付近から前方および下方に延びたくの字型となっている為、冷蔵庫外枠の側壁と背壁と天面側の互いに隣接する３面が一つの補強部材４３５で連結されていることとなり、３面が接する上部背面側角部４６０ａ付近を中心に大きな強度を有するので、この部分に取っ手４３６を取り付けることで、その補強構造を利用して取っ手４３６を支持することができ、取っ手４３６の運搬時の強度を大幅に向上させることができ、重心位置が高くなったことで運搬時の取っ手にかかる荷重が大きい冷蔵庫を安全に運搬できるようにする。
【００７４】
また、凹部を覆うカバー４３３は凹部４５０の側壁４６０の補強材４３５に固定されているので、カバー部材の強度を高めることができ、圧縮機の振動によりカバー部材が振動することによるびびりや騒音が発生するのを抑制することができる。
【００７５】
よって、本実施の形態では、機械室である凹部の左右方向における強度を補強する補強構造として、取っ手４３６とカバー４３３複数の補強構造を備えている。これによって、凹部の存在によって剛性が弱くなりがちな機械室周りの剛性を大幅に向上させることができる。
【００７６】
さらに、このように左右方向の剛性を向上させた上で、その補強構造を利用して取っ手４３６を形成していることで、取っ手４３６の運搬時の強度を確保することができ、重心位置が高くなったことで運搬時の取っ手にかかる荷重が大きい冷蔵庫を安全に運搬できるようにする。
【００７７】
また、カバー４３３には、凹部４５０内の空気の流動を促進する通風穴４３４が設けられているため、効果的に凹部内の空気を循環させることができる。これにより、圧縮機の温度上昇を抑制することができ、冷蔵庫の消費電力の抑制を図ることができる。
【００７８】
このように、本実施の形態の冷蔵庫は、圧縮機４２０から発生した振動が冷蔵庫本体へ振動伝播するのを抑制することができるので、圧縮機４２０を断熱箱体４０１の天面に配置した冷蔵庫において低振動および低騒音化を実現した冷蔵庫を提供することができる。
【００７９】
また、断熱箱体４０１の天面奥部の凹部４５０に圧縮機４２０を配設しており、圧縮機は前面側も側壁側も断熱壁で囲われていることで、圧縮機から発生する騒音が冷蔵庫の前面側に漏洩するのを防止することができる。
【００８０】
また、圧縮機は内部低圧型の圧縮機を用いているので、冷媒の圧縮を行う機械部が圧縮機の外郭である密閉容器に対してスプリング等の弾性部材を介して支持されているので、圧縮動作に伴う振動が密閉容器に直接伝播せず、さらに密閉容器は弾性部材であるグロメット４２０ａを介して断熱箱体４０１に配設されているので、圧縮機４２０の振動が断熱箱体に伝播するのを防いでいる。
【００８１】
このように、本実施の形態の冷蔵庫は、圧縮機４２０から発生した振動が冷蔵庫本体へ振動伝播するのを抑制することができるので、圧縮機４２０を断熱箱体４０１の天面に配置した冷蔵庫において低振動および低騒音化を実現した冷蔵庫を提供することができる。
【００８２】
なお、本発明においては、真空断熱材４４０が圧縮機の前面側と底面側に相当する位置の凹部４５０の前壁面４５０ａ及び底面４５０ｂに備えられているが、冷蔵庫の設計やコストの関係上、少なくともどちらか一方のみ備える場合もある。
【００８３】
なお、本発明においては、側壁４６０の補強部材４３５は、くの字状の形状としたが、側面への投影面において、凹部４５０の空間から前壁面４５０ａおよび底面４５０ｂへ渡って備えられているような形状であれば他の形状であっても、側壁４６０と直行する断熱壁である凹部４５０の前壁面４５０ａおよび底面４５０ｂに支えられて、側壁４６０を連続した断熱箱体の一部として支持することができ、凹部４５０の開口部強度を高めることができる。
【００８４】
なお、本実施の形態では、取っ手４３６を取り付ける補強部材４３５の形状は断面が略Ｌ字状であり、さらにそれらをくの字に曲げた形状としたが、補強部材４３５にかかる荷重が比較的小さいような製品に適用する場合には、これよりも比較的影響の少ない一部の形状を簡略化した補強部材４３５にすることも可能である。
【００８５】
例えば、取っ手４３６を直接固定する方とは逆側のくの字部分のみ断面をＬ形状とせず、一枚板の鉄板とし、取っ手４３６を直接固定する側のみ、より強度の高いＬ形状の断面とすることで省資源化を図ることも可能である。
【００８６】
なお、本実施の形状では、補強部材４３５は、凹部４５０の奥行きおよび深さ方向にくの字型に配置されており、それぞれ側壁への投影では凹部４５０内空間と凹部４５０の前壁面４５０ａおよび底面４５０ｂへ渡って長い距離に渡って備えられていることとしたが、補強部材４３５にかかる荷重が比較的小さいような製品に適用する場合には、上部背面側角部４６０ａ付近の強度確保に焦点を当て、くの字の前方および下方への延出しろを短くし、例えば前方もしくは下方のそれぞれ側壁への投影では、どちらか一方については凹部４５０内空間へより短く設計した場合でも、凹部上部背面側角部４６０ａを中心に強度を確保することも十分に可能となる。
【００８７】
なお、取っ手を保持する為の強度を確保することだけに焦点を絞り、カバーを天面から固定する必要がないといった場合には、補強部材４３５は、くの字形状でなくても良く、取っ手４３６の取り付ける側のみの断面がＬ字型となる棒形状としても、例えば取っての取り付け部を背面側とする場合には天面側には補強部材がなかったとしても、取っ手を保持する為の強度を確保することが可能である。
【００８８】
なお、取っ手４３６の形状や材料にもよるが、握り部となる部分の外郭形状や表面状態が、手で握った際に握りにくい、手が痛いなど負担がかかることが懸念される場合は、当該握り部に運搬性を高める外郭構造を付加することでこれらの問題を解消することができる。具体的には、取っ手部２１０の握り部周囲に樹脂製の別部品を被せたり、この別部品を握りやすい形状に工夫したり、滑りにくくグリップ性の高いゴム系などの材料で形成した別部品で覆ったりすることで対応が可能である。
【産業上の利用可能性】
【００８９】
本発明の冷蔵庫の運搬用取っ手構造は、冷蔵庫最上段の圧縮機搭載の凹部を利用して、内容積を減少させることなく、重心位置が高くなった冷蔵庫を用意に運搬することができるものなので、業務用の大型冷蔵庫および冷凍庫やショーケースといった冷凍機器にも適用できる。
【図面の簡単な説明】
【００９０】
【図１】本発明の実施の形態１における冷蔵庫の概略断面図
【図２】本発明の実施の形態１における冷蔵庫のハンドルバーの斜視図
【図３】本発明の実施の形態１における冷蔵庫の断熱箱体の分解図
【図４】本発明の実施の形態１における冷蔵庫運搬時の概略図
【図５】本発明の実施の形態２における冷蔵庫の取っ手の斜視図
【図６】本発明の実施の形態３における冷蔵庫の取っ手の斜視図
【図７】本発明の実施の形態４における冷蔵庫の概略断面図
【図８】本発明の実施の形態４における冷蔵庫の凹部の断熱発泡前の構成を示す斜視図
【図９】本発明の実施の形態４における冷蔵庫の断熱発泡後の構成を示す斜視図
【図１０】本発明の実施の形態４における冷蔵庫の取っ手の斜視図
【図１１】本発明の実施の形態４における冷蔵庫の取っ手の取り付け構成図
【図１２】従来の冷蔵庫の概略断面図
【図１３】従来の冷蔵庫の概略断面図
【符号の説明】
【００９１】
５，４０１  断熱箱体
６，４５０  凹部
７，４２０  圧縮機
８，４３６  ハンドル用バー（取っ手部）
９，２０９，４３３  カバー
１０，４６０  側面
１１  握り部の空間
１２  カバーの凹部
１３  圧縮機左右の空間
１４  左右の握り部の空間
１５  左右の凹部
１６  外箱
１７  内箱
１８  パネルトップ
１０８，４３５  補強部材
１０９，２１０  取っ手部
【図１】
2006308281.tif 000003
【図２】
2006308281.tif 000004
【図３】
2006308281.tif 000005
【図４】
2006308281.tif 000006
【図５】
2006308281.tif 000007
【図６】
2006308281.tif 000008
【図７】
2006308281.tif 000009
【図８】
2006308281.tif 000010
【図９】
2006308281.tif 000011
【図１０】
2006308281.tif 000012
【図１１】
2006308281.tif 000013
【図１２】
2006308281.tif 000014
【図１３】
2006308281.tif 000015